(57)【要約】【課題】列車の駅のプラットホーム縁端等に設置される可動ホーム柵において、設置工事のコストを従来よりも低減する。【解決手段】可動ホーム柵１は、扉は、一方向にスライドして開く扉と、他方向にスライドして開く扉とを備え、扉は、それぞれ扉のスライド方向に沿って延びる横パイプを有し、フレームは、一方向にスライドして開く扉の横パイプを収容する横パイプ及び当該横パイプが設けられる構造物、並びに他方向にスライドして開く扉の横パイプを収容する横パイプ及び当該横パイプが設けられる構造物を有し、一方向にスライドして開く扉を収容する横パイプに設けられた構造物は、他方向にスライドして開く扉を収容する横パイプが取付け金具で固定され、他方向にスライドして開く扉を収容する横パイプに設けられた構造物は、一方向にスライドして開く扉を収容する横パイプが取付け金具で固定される。【選択図】図１
2018090250.tif 000002
【特許請求の範囲】
【請求項１】
列車の乗降口を開閉するようスライド移動する扉と、前記扉を収納するフレームと、を
備える可動ホーム柵であって、
前記扉は、一方向にスライドして開く扉と、他方向にスライドして開く扉とを備え、
前記扉は、それぞれ前記扉のスライド方向に沿って延びる横パイプを有し、
前記フレームは、前記扉のスライド方向に沿って延びて前記一方向にスライドして開く扉の横パイプを収容する横パイプ及び当該横パイプが設けられ、プラットホームに直立するように設置される構造物、並びに前記扉のスライド方向に沿って延びて前記他方向にスライドして開く扉の横パイプを収容する横パイプ及び当該横パイプが設けられ、プラットホームに直立するように設置される構造物を有し、
前記一方向にスライドして開く扉を収容する横パイプに設けられた前記構造物は、前記他方向にスライドして開く扉を収容する横パイプが取付け金具で固定され、
前記他方向にスライドして開く扉を収容する横パイプに設けられた前記構造物は、前記一方向にスライドして開く扉を収容する横パイプが取付け金具で固定される
ことを特徴とする可動ホーム柵。
【請求項２】
前記取付け金具は、位置を前記扉の開閉方向に調整できる
ことを特徴とする請求項１に記載の可動ホーム柵。
【請求項３】
前記取付け金具は、位置を前記扉の開閉方向に垂直な方向に調整できる
ことを特徴とする請求項１に記載の可動ホーム柵。
【請求項４】
前記扉の横パイプにラックが固定されており、
前記扉の横パイプを収納する前記フレームの横パイプに、モーターの回転に連動して回動し、前記ラックと噛み合うピニオンギアが設けられている
ことを特徴とする請求項１〜３のいずれか一項に記載の可動ホーム柵。
【請求項５】
前記扉の横パイプを収納する前記フレームの横パイプに設けられ、一端が前記扉の横パイプに固定されるプッシュプルチェーンを有する
ことを特徴とする請求項１〜３のいずれか一項に記載の可動ホーム柵。
【請求項６】
前記扉の横パイプを収納する前記フレームの横パイプに設けられ、前記扉の横パイプと接合してモーターの回転に伴って前記扉を開閉するベルトを有する
ことを特徴とする請求項１〜３のいずれか一項に記載の可動ホーム柵。
【請求項７】
前記扉は、
板状のパネルと、
前記パネルを支持するパネル支持体と、を備える
ことを特徴とする請求項１〜６のいずれか１項に記載の可動ホーム柵。
【請求項８】
前記一方向にスライドして開く扉及び前記他方向にスライドして開く扉は、それぞれ前記横パイプを上下に少なくとも２本有し、
上下に設けられた横パイプの間に、前記上下に設けられた横パイプの間の距離を調整する調整器具を備える
ことを特徴とする請求項１〜７のいずれか１項に記載の可動ホーム柵。
【請求項９】
前記フレームは、上下に少なくとも２本の前記一方向にスライドして開く扉を収容する横パイプを有するとともに、上下に少なくとも２本の前記他方向にスライドして開く扉を収容する横パイプを有し、
前記フレームの上下の横パイプの間に、前記フレームの上下の横パイプの間の距離を調整する調整器具を備える
ことを特徴とする請求項１〜８のいずれか１項に記載の可動ホーム柵。
【発明の詳細な説明】
【技術分野】
【０００１】
この発明は、列車の駅のプラットホーム縁端等に設置される可動ホーム柵に関する。
【背景技術】
【０００２】
従来、駅のプラットホームの縁端等に設置される可動柵において、コストを低減するため、２つのドアに対して１つの戸袋を設けた可動柵がある（例えば、特許文献１参照）。
【先行技術文献】
【特許文献】
【０００３】
【特許文献１】特許第３３０６０５５号
【発明の概要】
【発明が解決しようとする課題】
【０００４】
しかし、このような可動柵では戸袋が床面に据え置きされていたため、設置工事のコストを十分には低減できていなかった。
【０００５】
この発明は上記の課題を解決するためになされたもので、設置工事のコストを従来よりも低減できる可動ホーム柵を得ることを目的とする。
【課題を解決するための手段】
【０００６】
この発明に係る可動ホーム柵は、列車の乗降口を開閉するようスライド移動する扉と、扉を収納するフレームと、を備える可動ホーム柵であって、扉は、一方向にスライドして開く扉と、他方向にスライドして開く扉とを備え、扉は、それぞれ扉のスライド方向に沿って延びる横パイプを有し、フレームは、扉のスライド方向に沿って延びて一方向にスライドして開く扉の横パイプを収容する横パイプ及び当該横パイプが設けられ、プラットホームに直立するように設置される構造物、並びに扉のスライド方向に沿って延びて他方向にスライドして開く扉の横パイプを収容する横パイプ及び当該横パイプが設けられ、プラットホームに直立するように設置される構造物を有し、一方向にスライドして開く扉を収容する横パイプに設けられた構造物は、他方向にスライドして開く扉を収容する横パイプが取付け金具で固定され、他方向にスライドして開く扉を収容する横パイプに設けられた構造物は、一方向にスライドして開く扉を収容する横パイプが取付け金具で固定されるものである。
【発明の効果】
【０００７】
この発明によれば、可動ホーム柵は、上記の構成を備えたことにより、設置工事のコストを従来よりも低減できる。
【図面の簡単な説明】
【０００８】
【図１】実施の形態１に係る可動ホーム柵の概略構成図
【図２】横パイプが３本の場合の実施の形態１に係る可動ホーム柵の概略構成図
【図３】図１に駆動部材を追加して表した可動ホーム柵の概略構成図
【図４】実施の形態２に係る可動ホーム柵の概略構成図
【図５】実施の形態３に係る可動ホーム柵の概略構成図
【図６】実施の形態４に係る可動ホーム柵の概略構成図
【図７】実施の形態５に係る可動ホーム柵の概略構成図
【図８】実施の形態６に係る可動ホーム柵の概略構成図
【図９】実施の形態７に係る可動ホーム柵の概略構成図
【図１０】実施の形態８に係る可動ホーム柵の概略構成図
【図１１】実施の形態９に係る可動ホーム柵の概略構成図
【図１２】実施の形態１０に係る可動ホーム柵の概略構成図
【図１３】実施の形態１１に係る可動ホーム柵の概略構成図
【図１４】実施の形態１２に係る可動ホーム柵の概略構成図
【図１５】実施の形態１３に係る可動ホーム柵の概略構成図
【図１６】実施の形態１４に係る可動ホーム柵の概略構成図
【図１７】実施の形態１５に係る可動ホーム柵の概略構成図
【図１８】図１７に配線等を追加して表した可動ホーム柵の概略構成図
【図１９】実施の形態１６に係る可動ホーム柵の概略構成図
【図２０】図１９(ａ)の可動ホーム柵をプラットホームに取り付ける様子を示す俯瞰図
【図２１】可動ホーム柵の取り付け位置調整の様子を示す俯瞰図
【図２２】可動ホーム柵の取り付け位置調整の様子を示す図２１の一部拡大図
【図２３】実施の形態１７に係る可動ホーム柵の概略構成図
【図２４】図２３に示す２台の可動ホーム柵を設置する前の状態を示す俯瞰図
【図２５】図２４に示す２台の可動ホーム柵を設置した後の状態を示す俯瞰図
【図２６】実施の形態１８に係る可動ホーム柵の概略構成図
【図２７】図２６の可動ホーム柵に用いられる扉の一例を示す図
【図２８】実施の形態１９に係る可動ホーム柵の概略構成図
【図２９】図２８の可動ホーム柵に用いられる調整器具の拡大図
【図３０】実施の形態２０に係る可動ホーム柵の概略構成図
【発明を実施するための形態】
【０００９】
以下、この発明を実施するための実施の形態を説明する。なお、同一または類似の構成には同一の符号を付して説明する。また、各構成が重なり合うか否かに関わらず、便宜上、図中では各構成を実線で示す。
【００１０】
実施の形態１．
この発明を実施するための実施の形態１に係る可動ホーム柵を、図１〜図３を用いて説明する。
【００１１】
図１は、この実施の形態に係る可動ホーム柵の概略構成図である。図１（ａ）は扉を閉じた状態（扉を出した状態）を示し、図１（ｂ）は扉を開いた状態（扉を引っ込めた状態）を示している。また、図１（ｃ）は図１（ｂ）のＡＡ断面を示している。なお、図１においては、後述するモーターやプーリー等の駆動部材の図示を省略している。
【００１２】
図１（ａ）〜（ｃ）に示すように、この実施の形態に係る可動ホーム柵１は、扉２と、フレーム３と、を備える。扉２は例えばパイプ（パイプの内部が充填された棒であっても良い）で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。そして、フレーム３の下方の横パイプ３ｂの内部には、扉２の開閉方向に沿ってリニアガイドレール４が固定されている。また、扉２の下方の横パイプ２ｂには、リニアガイドベアリング５が固定されている。このリニアガイドベアリング５は、リニアガイドレール４に嵌合して扉２を支持しスライド移動させる。
【００１３】
なお、図１に示すフレーム３は横パイプ３ｂが上下２本の場合を示しているが、横パイプ３ｂは１本であっても良いし、図２に示すように３本以上であっても良い。図２は上から２番目の横パイプ３ｂにリニアガイドレール４を固定して扉２を支持する場合を示しているが、他の横パイプ３ｂで扉２を支持しても良いし、複数の横パイプ３ｂで扉２を支持しても良い。
また、横パイプ３ｂは扉２のパイプを完全に覆う必要はなく、強度や雨水による影響が問題とならない範囲で開口しても良い。
【００１４】
また、図１では下方の横パイプ３ｂにリニアガイドレール４を固定しているが、上方の横パイプ３ｂに固定しても良いし、上方と下方の双方の横パイプ３ｂにリニアガイドレール４を固定してもよい。同様に、リニアガイドベアリング５も、リニアガイドレール４の設置位置に対応するよう上方の横パイプ２ｂに設けても良いし、上下双方の横パイプ２ｂに設けても良い。
また、扉２にカムフォロアやローラーや摺動体を設け、このカムフォロアやローラーを横パイプ３ｂ（図１では上方の横パイプ３ｂ）に通すことにより、扉２の振動を抑制しても良い。
また、カムフォロアやローラーや摺動体を横パイプ３ｂに設けて、扉２の振動を抑制しても良い。
【００１５】
図３は、図１に駆動部材も図示した、この実施の形態に係る可動ホーム柵の概略構成図である。図３（ａ）は扉を閉じた状態（扉を出した状態）を示し、図３（ｂ）は扉を開いた状態（扉を引っ込めた状態）を示している。また、図３（ｃ）は図３（ｂ）のＡＡ断面を示している。
【００１６】
図３（ａ）〜（ｃ）に示すように、フレーム３の縦パイプ３ａにはモーター６が設けられ、これに懸架するタイミングベルト７が横パイプ３ｂに沿うように設けられている。また、扉２の横パイプ２ｂの戸尻側にはタイミングベルト７との接合部２ｃを有し、モーター６及び２つのプーリー８に懸架したタイミングベルト７の回転に伴って、扉２が開閉する。また、扉２の上方の横パイプ２ｂの戸尻には振れ止め具９が設けられ、扉２の横パイプ２ｂの振動を防止している。なお、振れ止め具９は、例えばローラーで構成される。
また、ここでは縦パイプ３ａにモーター６とプーリー８を設けているが、別の筐体や横パイプ２ｂに収めてもよく、タイミングベルト７も横パイプ２ｂの外に配置しても良い。
【００１７】
ここで、扉２の開閉動作について、もう少し詳細に説明する。
扉２が開くとは、扉２が列車の乗降口を開けるように列車の進行方向に沿ってスライド移動することを言い、扉２が閉まるとは、扉２が列車の乗降口を塞ぐように列車の進行方向に沿ってスライド移動することを言う。
【００１８】
図３では、タイミングベルト７が右へ回転すると、扉２に固定されたリニアガイドベアリング５が横パイプ３ｂのリニアガイドレール４を右側にスライドし、扉２が開く。同様に、タイミングベルト７が左へ回転すると、扉２に固定されたリニアガイドベアリング５が横パイプ３ｂのリニアガイドレール４を左側にスライドし、扉２が閉まる。
【００１９】
このように、本実施の形態１に係る可動ホーム柵１は、扉２とフレーム３とをパイプで構成し、扉２の横パイプ２ｂにリニアガイドベアリング５を、フレーム３の横パイプ３ｂにリニアガイドレール４を設けた。これにより、扉２の開放時には扉２の戸尻側がフレーム３の横パイプ３ｂに入れ子状に収納されるため、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００２０】
実施の形態２．
この発明を実施するための実施の形態２に係る可動ホーム柵を、図４を用いて説明する。
【００２１】
実施の形態１では、扉２にリニアガイドベアリング５を設け、フレーム３にリニアガイドレール４を設ける場合を示したが、この実施の形態２では、扉２にリニアガイドレール４を設け、フレーム３にリニアガイドベアリング５を設ける点が異なる。
【００２２】
図４は、この実施の形態に係る可動ホーム柵の概略構成図である。図４（ａ）は扉を閉じた状態（扉を出した状態）を示し、図４（ｂ）は扉を開いた状態（扉を引っ込めた状態）を示している。また、図４（ｃ）は図４（ｂ）のＡＡ断面を示している。なお、図４ではモーター６やプーリー８等の駆動部材の図示を省略している。
【００２３】
図４（ａ）〜（ｃ）に示すように、扉２はパイプ又は棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。そして、扉２の下方のパイプには、扉２の開閉方向に沿ってリニアガイドレール４が固定されている。また、フレーム３の下方の横パイプ３ｂの内部には、リニアガイドレール４に嵌合して扉２を支持しスライド移動させる、リニアガイドベアリング５が固定されている。
【００２４】
その他の構成及び動作は、実施の形態１に係る可動ホーム柵１と同じであるため、説明を省略する。なお、実施の形態１と同様に、横パイプ３ｂの本数、リニアガイドレール４をどの横パイプ３ｂに固定するか等は、任意に決めて良い。また、複数ある横パイプ３ｂの一部は実施の形態２に記載の支持方法とし、他の横パイプ３ｂでは実施の形態１に記載の支持方法として、扉２を支持することもできる。
また、扉の戸尻側はすべて横パイプ３ｂに収納されていなくても良く、扉の戸尻側が横パイプ３ｂの戸尻側より飛び出していても良い。
【００２５】
また、扉２にカムフォロアやローラーを設け、このカムフォロアやローラーを横パイプ３ｂ（図１では上方の横パイプ３ｂ）の内面に沿って移動させることにより、扉２の振動を抑制しても良い。
また、カムフォロアやローラーや摺動体を横パイプ３ｂに設けて、扉２の振動を抑制しても良い。
【００２６】
このように、本実施の形態２に係る可動ホーム柵１は、扉２とフレーム３とをパイプで構成し、扉２の横パイプ２ｂにリニアガイドレール４を、フレーム３の横パイプ３ｂにリニアガイドベアリング５を設けた。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００２７】
実施の形態３．
この発明を実施するための実施の形態３に係る可動ホーム柵を、図５を用いて説明する。
【００２８】
実施の形態１，２では、リニアガイドレール４とリニアガイドベアリング５を用いて扉２を支持する場合を説明したが、この実施の形態３では、扉２の戸尻にローラー１０を設け、フレーム３の横パイプ３ｂをリニアガイドレール４の代替とする点が異なる。
【００２９】
図５は、この実施の形態に係る可動ホーム柵の概略構成図である。図５（ａ）は扉を閉じた状態（扉を出した状態）を示し、図５（ｂ）は扉を開いた状態（扉を引っ込めた状態）を示している。また、図５（ｃ）は図５（ｂ）のＡＡ断面を示している。なお、図５ではモーター６やプーリー８等の駆動部材の図示を省略している。
【００３０】
図５（ａ）〜（ｃ）に示すように、扉２の上下の横パイプ２ｂの戸尻には、それぞれ４つ又は６つのローラー１０が設けられている。また、図５（ｃ）に示すように、扉２の上方の横パイプ２ｂでは、戸先側のローラー１０と戸尻側のローラー１０とが重なるように設けられている。一方、扉２の下方の横パイプ２ｂでは、上方の横パイプ２ｂと同様のローラー１０に加え、これらのローラー１０とほぼ垂直になるようなローラー１０が設けられている。これにより、扉２の上方の横パイプ２ｂは縦方向の振動を抑制し、扉２の下方の横パイプ２ｂは縦横の振動を抑制することができる。
【００３１】
また、フレーム３の下方の横パイプ３ｂの戸先側には、扉２の荷重を支えるローラー１０ａ（補助ローラー）が設けられている。
【００３２】
なお、図５では扉２の上下の横パイプ２ｂそれぞれにローラー１０を設けているが、扉２の振動が少ない場合は、扉２のいずれか一方の横パイプ２ｂにのみローラー１０を設けてもよい。また、それぞれのローラー１０の設置位置は、扉２の振動の度合いに応じて任意の向きに変更できる。
また、カムフォロワや摺動体をローラー１０の代わりに用いてもよい。
また、カムフォロワやローラーや摺動体を横パイプ３ｂに設けて、扉２の振動を抑制しても良い。
【００３３】
また、図示はしていないが、実施の形態１と同様に、フレーム３の縦パイプ３ａにはモーター６が設けられ、これに懸架するタイミングベルト７が横パイプ３ｂに沿うように設けられている。また、扉２の横パイプ２ｂの戸尻側にはタイミングベルト７との接合部２ｃを有し、モーター６及び２つのプーリー８に懸架したタイミングベルト７の回転に伴って、扉２が開閉する。
【００３４】
タイミングベルト７が右へ回転すると、扉２に固定されたローラー１０が横パイプ３ｂの内面をガイドレールとして右側に転動（移動）し、扉２が開く。同様に、タイミングベルト７が左へ回転すると、扉２に固定されたローラー１０が横パイプ３ｂの内面をガイドレールとして左側に転動（移動）し、扉２が閉まる。
【００３５】
なお、実施の形態１と同様に、横パイプ３ｂの本数、ローラー１０をどの横パイプ３ｂに設置するか、を任意に決めて良い。また、複数ある横パイプ３ｂの一部は実施の形態３に記載の支持方法とし、他の横パイプ３ｂでは実施の形態１または２に記載の支持方法とするなど、任意の組合せで扉２を支持することもできる。
【００３６】
このように、本実施の形態３に係る可動ホーム柵１は、扉２を構成する横パイプ２ｂの戸尻側にローラー１０を設け、このローラー１０がフレーム３の横パイプ３ｂの内面を移動するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００３７】
また、この実施の形態３では、横パイプ３ｂをガイドレールとして用いることができるため、別途リニアガイドレール４を設ける場合に比べて、コストを低減できる。
また、この実施の形態３では、ローラー１０を用いるため、縦方向または横方向に扉が振動するのを抑制できる。
【００３８】
実施の形態４．
この発明を実施するための実施の形態４に係る可動ホーム柵を、図６を用いて説明する。
【００３９】
実施の形態１，２では、リニアガイドレール４とリニアガイドベアリング５を用いて扉２を支持する場合を説明したが、この実施の形態４では、扉２の戸尻側にブッシュ１１を設け、フレーム３の横パイプ３ｂをリニアガイドレール４の代替とする点が異なる。
【００４０】
図６は、この実施の形態に係る可動ホーム柵の概略構成図である。図６（ａ）は扉を閉じた状態（扉を出した状態）を示し、図６（ｂ）は扉を開いた状態（扉を引っ込めた状態）を示している。また、図６（ｃ）は図６（ｂ）のＡＡ断面を示している。なお、図６ではモーター６やプーリー８等の駆動部材の図示を省略している。
【００４１】
図６（ａ）〜（ｃ）に示すように、扉２の上下の横パイプ２ｂの戸尻には、それぞれブッシュ１１が設けられている。
【００４２】
また、図示はしていないが、実施の形態１と同様に、フレーム３の縦パイプ３ａにはモーター６が設けられ、これに懸架するタイミングベルト７が横パイプ３ｂに沿うように設けられている。また、扉２の横パイプ２ｂの戸尻側にはタイミングベルト７との接合部２ｃを有し、モーター６及び２つのプーリー８に懸架したタイミングベルト７の回転に伴って、扉２が開閉する。
【００４３】
タイミングベルト７が右へ回転すると、扉２に固定されたブッシュ１１が横パイプ３ｂの内面を右側に移動し、扉２が開く。同様に、タイミングベルト７が左へ回転すると、扉２に固定されたブッシュ１１が横パイプ３ｂの内面をガイドレールとして左側に移動し、扉２が閉まる。ブッシュ１１には、無給油型など種々のタイプがあるが、いずれも比較的小さな抵抗で横パイプ３ｂの内面を摺動することができる。
【００４４】
なお、図６では扉２の上下の横パイプ２ｂそれぞれにブッシュ１１を設けているが、扉２の長さや形状に合わせて、いずれか一方の横パイプ２ｂにのみブッシュ１１を設けても良い。また、扉２のある横パイプ２ｂはリニアガイドレール４とリニアガイドベアリング５で支持および案内し、扉２の他の横パイプ２ｂはローラー１０で案内するなどのように、実施の形態１〜４に示した各種の支持手段を自由に組合せることもできる。
また、一部の横パイプ２ｂにブッシュ１１を設け、他の横パイプ２ｂには振動防止のカムフォロア等を設けるようにしても良い。
また、カムフォロアやローラーや摺動体を横パイプ３ｂに設けて、扉２の振動を抑制しても良い。
【００４５】
このように、本実施の形態４に係る可動ホーム柵１は、扉２を構成する横パイプ２ｂの戸尻にブッシュ１１を設け、このブッシュ１１がフレーム３の横パイプ３ｂの内面を移動するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００４６】
また、この実施の形態４では、横パイプ３ｂをガイドレールとして用いることができるため、別途リニアガイドレール４を設ける場合に比べて、コストを低減できる。
【００４７】
実施の形態５．
この発明を実施するための実施の形態５に係る可動ホーム柵を、図７を用いて説明する。
【００４８】
実施の形態１では、上方の横パイプ２ｂの戸尻に振れ止め具９を設ける場合を説明したが、この実施の形態５では、扉２の上方の横パイプ２ｂの戸尻側の外周にパイプ摺動部１２を扉２のスライド移動をガイドする点が異なる。
【００４９】
図７は、この実施の形態に係る可動ホーム柵の概略構成図である。図７（ａ）は扉を閉じた状態（扉を出した状態）を示し、図７（ｂ）は扉を開いた状態（扉を引っ込めた状態）を示している。また、図７（ｃ）は図７（ｂ）のＡＡ断面を示している。なお、図７ではモーター６やプーリー８等の駆動部材の図示を省略している。
【００５０】
図７（ａ）〜（ｃ）に示すように、扉２の上方の横パイプ２ｂの戸尻側の外周には、樹脂製のパイプ摺動部１２が設けられている。
【００５１】
また、図示はしていないが、実施の形態１と同様に、フレーム３の縦パイプ３ａにはモーター６が設けられ、これに懸架するタイミングベルト７が横パイプ３ｂに沿うように設けられモーター６及びプーリー８に懸架したタイミングベルト７の回転に伴って、扉２が開閉する。このとき、パイプ摺動部１２は扉２のスライド移動を補助するため、扉２は実施の形態１よりも滑らかにスライド移動できる。
また、摺動体を横パイプ３ｂに設けて、扉２をスライドしても良い。
また、実施の形態１と同様にモーターやプーリーは縦パイプ３ａとは別の筐体に収めても良い。
【００５２】
このように、本実施の形態５に係る可動ホーム柵１は、扉２を構成する横パイプ２ｂの戸尻の外周にパイプ摺動部１２を設け、このパイプ摺動部１２がフレーム３の横パイプ３ｂの内面を摺動し、扉２の横パイプ２ｂのスライド移動をガイドするようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００５３】
また、この実施の形態５では、パイプ摺動部１２を介して扉２の横パイプ２ｂとフレーム３の横パイプ３ｂが摺動するため、扉２をより滑らかにスライド移動できる。
【００５４】
実施の形態６．
この発明を実施するための実施の形態６に係る可動ホーム柵を、図８を用いて説明する。
【００５５】
実施の形態１では、タイミングベルト７を２つのプーリー８に懸架し、下方の横パイプ３ｂの内部で回転させる場合を示したが、この実施の形態６では、タイミングベルト７を４つのプーリー８に懸架し、タイミングベルト７をそれぞれ別の横パイプ３ｂに通す点が異なる。
【００５６】
図８は、この実施の形態に係る可動ホーム柵の概略構成図である。図８（ａ）は扉を閉じた状態（扉を出した状態）を示し、図８（ｂ）は扉を開いた状態（扉を引っ込めた状態）を示している。また、図８（ｃ）は図８（ｂ）のＡＡ断面を示している。
【００５７】
図８（ａ）〜（ｃ）に示すように、フレーム３の２本の縦パイプ３ａの間には、３本の横パイプ３ｂがほぼ水平に渡されている。また、図８（ａ）及び（ｂ）に示すように、一方の縦パイプ３ａにモーター６が設けられ、上から２番目と３番目の横パイプ３ｂに沿うようにタイミングベルト７が設けられている。このタイミングベルト７は、モーター６及び４つのプーリー８に懸架している。
【００５８】
その他の構成及び動作は、実施の形態１に係る可動ホーム柵１と同じであるため、説明を省略する。なお、ここでは実施の形態１を元に説明したが、実施の形態２〜５の支持手段とこの実施の形態６で説明した駆動手段を組合せることもできる。また、実施の形態１と同様にモーター６やプーリー８は縦パイプ３ａとは別の筐体や横パイプ３ｂに収めてもよい。
【００５９】
このように、本実施の形態６に係る可動ホーム柵１は、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００６０】
また、本実施の形態６に係る可動ホーム柵１は、フレーム３の太さに応じて、図８とは異なる位置のプーリー８に対応するようモーター６を設置することができる。
【００６１】
実施の形態７．
この発明を実施するための実施の形態７に係る可動ホーム柵を、図９を用いて説明する。
【００６２】
実施の形態１，６では、輪状のタイミングベルト７を用いて扉２を開閉させる場合を示したが、この実施の形態７では、扉２を構成する横パイプ２ｂの戸先と戸尻のそれぞれにタイミングベルト７の端部を固定して扉２を開閉させる点が異なる。
【００６３】
図９は、この実施の形態に係る可動ホーム柵の概略構成図である。図９（ａ）は扉を閉じた状態（扉を出した状態）を示し、図９（ｂ）は扉を開いた状態（扉を引っ込めた状態）を示している。また、図９（ｃ）は図９（ｂ）のＡＡ断面を示している。
【００６４】
図９（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。
【００６５】
扉２の下方の横パイプ２ｂには、扉２の開閉方向に沿ってリニアガイドレール４が固定されている。また、フレーム３の下方の横パイプ３ｂの内部には、リニアガイドベアリング５が固定されている。このリニアガイドベアリング５は、リニアガイドレール４に嵌合して扉２を支持し、スライド移動させる。
【００６６】
扉２の下方の横パイプ２ｂには、さらに、戸先と戸尻の端部にタイミングベルト７の端部がそれぞれ固定されている。縦パイプ３ａには、プーリー７付きのモーター６と、アイドラー１３とが設けられ、このタイミングベルト７は、プーリー７とアイドラー１３とに懸架している。そして、モーター６が回転すると、タイミングベルト７のプーリー７及びアイドラー１３との接合点が移動し、扉２が開閉する。
【００６７】
その他の構成及び動作は、実施の形態１に係る可動ホーム柵１と同じであるため、説明を省略する。なお、ここでは扉２の下方の横パイプ２ｂにタイミングベルト７を固定する場合を説明したが、扉２の他の横パイプ２ｂに固定しても良い。また、ここでは実施の形態１を元に説明したが、実施の形態２〜５の支持手段とこの実施の形態７で説明した駆動手段を自由に組合せることもできる。
また、実施の形態１と同様にモーター６やプーリー８は縦パイプ３ａとは別の筐体や横パイプ３ｂに収めてもよい。
【００６８】
このように、本実施の形態７に係る可動ホーム柵１は、タイミングベルト７の端部を扉２の戸先と戸尻に固定し、フレーム３ａに設けたプーリー８とアイドラー１３とに懸架させ、モーター６の回転に伴って扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００６９】
実施の形態８．
この発明を実施するための実施の形態８に係る可動ホーム柵を、図１０を用いて説明する。
【００７０】
実施の形態１，６，７では、タイミングベルト７を用いて扉２を開閉させる場合を示したが、この実施の形態８では、ボールねじ１４及びナットブラケット１５を用いて扉２を開閉させる点が異なる。
【００７１】
図１０は、この実施の形態に係る可動ホーム柵の概略構成図である。図１０（ａ）は扉を閉じた状態（扉を出した状態）を示し、図１０（ｂ）は扉を開いた状態（扉を引っ込めた状態）を示している。また、図１０（ｃ）は図１０（ｂ）のＡＡ断面を示している。
【００７２】
図１０（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。
【００７３】
扉２の下方の横パイプ２ｂには、扉２の開閉方向に沿ってリニアガイドレール４が固定されている。また、フレーム３の下方の横パイプ３ｂの内部には、リニアガイドベアリング５が固定されている。このリニアガイドベアリング５は、リニアガイドレール４に嵌合して扉２を支持し、スライド移動させる。
【００７４】
フレーム３の下方の横パイプ３ｂの内部にはモーター６に連結されたボールねじ１４が配置され、扉２の下方の横パイプ２ｂの戸尻にはこのボールねじ１４に組み込まれたナットブラケット１５が固定されている。そして、モーター６が回転すると、これに連結したボールねじ１４が回転し、ナットブラケット１５が左右に移動して扉２が開閉する。
【００７５】
その他の構成及び動作は、実施の形態１に係る可動ホーム柵１と同じであるため、説明を省略する。なお、ここではフレーム３の下方の横パイプ３ｂにボールねじ１４を配置し、扉２の下方の横パイプ２ｂにナットブラケット１５を固定する場合を説明したが、フレーム３の他の横パイプ３ｂや扉２の他の横パイプ２ｂであっても良い。また、ここでは実施の形態１を元に説明したが、実施の形態２〜５の支持手段とこの実施の形態７で説明した駆動手段を自由に組合せることもできる。
また、実施の形態１と同様にモーター６を縦パイプ３ａとは別の筐体や横パイプ３ｂに収めてもよい。
【００７６】
このように、本実施の形態８に係る可動ホーム柵１は、フレーム３の横パイプ３ｂにボールねじ１４を配置し、扉２の横パイプ２ｂにナットブラケット１５を固定し、モーター６の回転に伴って扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００７７】
また、この実施の形態８に係る可動ホーム柵１は、フレーム３の横パイプ３ｂの内側を簡単な構造で扉２をスライド移動させることができる。
【００７８】
実施の形態９．
この発明を実施するための実施の形態９に係る可動ホーム柵を、図１１を用いて説明する。
【００７９】
実施の形態１，６，７では、タイミングベルト７を用いて扉２を開閉させ、実施の形態８では、ボールねじ１４及びナットブラケット１５を用いて扉２を開閉させる場合を示したが、この実施の形態９では、プッシュプルチェーン１６を用いて扉２を開閉させる点が異なる。
【００８０】
図１１は、この実施の形態に係る可動ホーム柵の概略構成図である。図１１（ａ）は扉を閉じた状態（扉を出した状態）を示し、図１１（ｂ）は扉を開いた状態（扉を引っ込めた状態）を示している。また、図１１（ｃ）は図１１（ｂ）のＡＡ断面を示している。
【００８１】
図１１（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。
【００８２】
扉２の下方の横パイプ２ｂには、扉２の開閉方向に沿ってリニアガイドレール４が固定されている。また、フレーム３の下方の横パイプ３ｂの内部には、リニアガイドレール４に嵌合して扉２を支持し、スライド移動させる、リニアガイドベアリング５が固定されている。
【００８３】
フレーム３の下方の横パイプ３ｂの内部には、プッシュプルチェーン１６が設けられ、このプッシュプルチェーン１６の一端は扉２の下方の横パイプ２ｂの戸尻に固定されている。また、フレーム３の内部には、モーター６の回転をプッシュプルチェーン１６に伝達するスプロケット（歯車）１７が設けられている。そして、モーター６が回転すると、スプロケット１７を介してプッシュプルチェーン１６が移動して扉２が開閉する。また、扉２の開放時に巻き取られたプッシュプルチェーン１６は、扉２の横パイプ２ｂが挿通しない横パイプ３ｂ（例えば、図１１の最下段の横パイプ３ｂ）に収納される。ここで、プッシュプルチェーン１６とは、押したり引いたりすることが可能なチェーンをいう。
【００８４】
その他の構成及び動作は、実施の形態１に係る可動ホーム柵１と同じであるため、説明を省略する。なお、ここではフレーム３の下方の横パイプ３ｂにプッシュプルチェーン１６を設け、扉２の下方の横パイプ２ｂの戸尻に一端を固定する場合を説明したが、フレーム３の他の横パイプ３ｂに設けても良い。また、ここでは実施の形態１を元に説明したが、実施の形態２〜５の支持手段とこの実施の形態９で説明した駆動手段を適宜自由に組合せることもできる。
また、モーター６は縦パイプ３ａ内ではなく、別の筐体や横パイプ３ｂ内に収めてもよく、扉２の開放時に巻き取られたプッシュプルチェーン１６は図１９（ａ）に示すように、スリットを設けた板に収納してもよい。
【００８５】
このように、本実施の形態９に係る可動ホーム柵１は、フレーム３の横パイプ３ｂにプッシュプルチェーン１６を設け、扉２の下方の横パイプ２ｂの戸尻に一端を固定し、モーター６の回転に伴ってスプロケット１７を介して扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００８６】
また、この実施の形態９に係る可動ホーム柵１は、フレーム３の内側にプッシュプルチェーン１６を収納できるため、プッシュプルチェーン１６収納用のスリット部材を別途設ける必要がなくコストを低減できる。
【００８７】
実施の形態１０．
この発明を実施するための実施の形態１０に係る可動ホーム柵を、図１２を用いて説明する。
【００８８】
実施の形態１，６，７では、タイミングベルト７を用いて扉２を開閉させ、実施の形態８では、ボールねじ１４及びナットブラケット１５を用いて扉２を開閉させ、実施の形態９では、プッシュプルチェーン１６を用いて扉２を開閉させる場合を示したが、この実施の形態1０では、ピニオンギア１８を用いて扉２を開閉させる点が異なる。
【００８９】
図１２は、この実施の形態に係る可動ホーム柵の概略構成図である。図１２（ａ）は扉を閉じた状態（扉を出した状態）を示し、図１２（ｂ）は扉を開いた状態（扉を引っ込めた状態）を示している。また、図１２（ｃ）は図１２（ｂ）のＡＡ断面を示している。
【００９０】
図１２（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。
【００９１】
扉２の下方の横パイプ２ｂには、扉２の開閉方向に沿ってラック１９が固定されている。また、フレーム３の下方の横パイプ３ｂの内部には、モーター６の回転に連動して回動するピニオンギア１８が設けられている。このピニオンギア１８はラック１９と噛み合い、扉２を開閉方向へスライド移動させる。
【００９２】
その他の構成及び動作は、実施の形態１に係る可動ホーム柵１と同じであるため、説明を省略する。なお、ここでは扉２の下方の横パイプ２ｂにラック１９を設ける場合を説明したが、扉２の他の横パイプ２ｂにラック１９を固定し、フレーム３に設けたピニオンギア１８と噛み合わせても良い。また、ここでは実施の形態１を元に説明したが、実施の形態２〜５の支持手段とこの実施の形態１０で説明した駆動手段を適宜自由に組合せることもできる。
また、モーター６は縦パイプ３ａ内ではなく、別の筐体や横パイプ３ｂ内に収めてもよい。
【００９３】
このように、本実施の形態１０に係る可動ホーム柵１は、ピニオンギア１８とラック１９を噛み合わせて扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【００９４】
実施の形態１１．
この発明を実施するための実施の形態１１に係る可動ホーム柵を、図１３を用いて説明する。
【００９５】
実施の形態１〜１０では、扉２の上下の横パイプ３ｂの間が空間の場合を示したが、この実施の形態１１では、上下の横パイプ３ｂの間にパネルを配置した点が異なる。
【００９６】
図１３は、この実施の形態に係る可動ホーム柵の概略構成図である。図１３（ａ）は扉を閉じた状態（扉を出した状態）を示し、図１３（ｂ）は扉を開いた状態（扉を引っ込めた状態）を示している。また、図１３（ｃ）は図１３（ｂ）のＡＡ断面を示している。なお、図１３ではモーター６やプーリー８等の駆動部材の図示を省略している。
【００９７】
図１３（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にほぼ水平に設けられた２本の横パイプ３ｂと、を備える。
【００９８】
扉２の戸先側の輪形状部分（縦パイプ２ａ）には、板状のパネル２０を支持するためのパネル支持体２１が固定されている。また、フレーム３の戸先側の縦パイプ３ａには、パネル２０がスライド移動できるような開口が設けられ、上方の横パイプ３ｂの外側下面及び下方の横パイプ３ｂの外側上面には、パネル案内レール２２がそれぞれ固定されている。そして、扉２のパネル支持体２１に戸先側の一端が固定されたパネル２０が、パネル案内レール２２にガイドされ、扉２の開閉に伴ってスライド移動する。
【００９９】
なお、パネル２０は板状の部材であれば良く、例えば、ガラスや金属やプラスチックで形成される。また、パネル案内レール２２は、扉２の上下の横パイプ２ｂいずれか一方にのみ設け、このパネル案内レール２２とパネル支持体２１とで扉２を支持しても良い。
また、フレーム３の戸先側に、パネル２０のスライド移動を円滑にするローラー１０ｂを設けても良い。図１３では下の横パイプ３ｂにのみローラー１０ｂを設けているが、上の横パイプ３ｂのみに設けても良いし、双方の横パイプ３ｂに設けても良い。
また、パネル案内レール２２はパネル２０の全長を案内せずに、パネルの一部を案内してもよい。
また、パネルの戸尻側にローラー１０を設けて、パネル案内レール２２上をガイドさせてもよい。
また、フレーム３の戸先側の縦パイプ３ａに開口部を設けず、パネル２０と干渉しないように縦パイプ３ａのホーム側または軌道側にずらしてパネル２０を配置してもよい。
【０１００】
その他の構成及び動作は、実施の形態１に係る可動ホーム柵１と同じであるため、説明を省略する。なお、この実施の形態１１は、実施の形態１〜１０と適宜自由に組合せることもできる。
【０１０１】
このように、本実施の形態１１に係る可動ホーム柵１は、パネル支持体２１を介して扉２に固定したパネル２０を、フレーム３に設けたパネル案内レール２２にガイドさせて扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１０２】
また、この実施の形態１１では、フレーム３の戸先側にローラー１０ｂを設けることにより、パネル支持体２１への負荷を抑え、比較的大きなパネル２０の設置を可能とする。
また、この実施の形態１１では、扉２の２本の横パイプ２ｂ間にパネル２０を設けることにより、プラットホームにいる乗客が軌道側に手や顔を出すのを抑制し、安全性を高めることができる。
【０１０３】
実施の形態１２．
この発明を実施するための実施の形態１２に係る可動ホーム柵を、図１４を用いて説明する。
【０１０４】
実施の形態１１では、フレーム３の横パイプ３ｂにパネル案内レール２２を設けてパネル２０を支持する場合を示したが、この実施の形態１２では、扉２の横パイプ２ｂにパネル２０を固定し、フレーム３の横パイプ３ｂに設けた開口部（スリット）をスライド移動させる点が異なる。
また、実施の形態１１では、パネル２０がスライド移動できるようにフレーム３の戸先側の縦パイプ３ａに開口を設けたが、この実施の形態１２では、フレーム３の横パイプ３ｂを縦パイプ３ａに横付けした点も異なる。
【０１０５】
図１４は、この実施の形態に係る可動ホーム柵の概略構成図である。図１４（ａ）は扉を閉じた状態（扉を出した状態）を示し、図１４（ｂ）は扉を開いた状態（扉を引っ込めた状態）を示している。また、図１４（ｃ）は図１４（ｂ）のＡＡ断面を示している。なお、図１４ではモーター６やプーリー８等の駆動部材の図示を省略している。
【０１０６】
図１４（ａ）〜（ｃ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にこの縦パイプ３ａの側面にほぼ水平に設けられた２本の横パイプ３ｂと、を備える。
【０１０７】
フレーム３の上方の横パイプ３ｂの下面及び下方の横パイプ３ｂの上面には、パネル２０をガイドできるように、扉２の開閉方向に沿ってそれぞれ開口（スリット）が設けられている。パネル２０は扉２に固定されており、扉２の開閉に伴って、パネル２０は横パイプ３ｂの開口にガイドされてスライド移動する。
【０１０８】
なお、実施の形態１１と同様に、扉２の戸先側の輪形状部分に、パネル２０を支持するためのパネル支持体２１を設けても良い。また、横パイプ３ｂに開口を設ける代わりに、パネル案内レール２２を設けても良い。また、パネル２０は板状の部材であれば良く、例えば、ガラスや金属やプラスチックで形成できる。
【０１０９】
その他の構成及び動作は、実施の形態１に係る可動ホーム柵１と同じであるため、説明を省略する。なお、この実施の形態１２は、実施の形態１〜１０と適宜自由に組合せることもできる。また、フレーム３の横パイプ３ｂのうち、上方は本実施の形態１２のように開口を設け、下方は実施の形態１１のようにパネル案内レール２２を設けても良い。
【０１１０】
このように、本実施の形態１２に係る可動ホーム柵１は、扉２に固定したパネル２０を、フレーム３の縦パイプ３ａの側面に固定した横パイプ３ｂの開口部にガイドさせ、扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１１１】
また、この実施の形態１２では、フレーム３の横パイプ３ｂが縦パイプ３ａの側面に固定されるため、縦パイプ３ａにパネル２０用の開口を設けることなくパネル２０をスライド移動できる。
また、この実施の形態１２では、フレーム３の横パイプ３ｂに開口を設けてパネル２０をガイドするようにしたため、パネル案内レール２２を取り付ける必要が無く、コストを低減できる。
【０１１２】
また、この実施の形態１２では、扉２の２本の横パイプ２ｂ間にパネル２０を設けることにより、プラットホームにいる乗客が軌道側に手や顔を出すのを抑制し、安全性を高めることができる。
【０１１３】
実施の形態１３．
この発明を実施するための実施の形態１３に係る可動ホーム柵を、図１５を用いて説明する。
【０１１４】
これは、実施の形態７の変形例で、フレーム３の戸尻側に非常用の脱出口用フレームを設けた点が異なる。
【０１１５】
図１５は、この実施の形態に係る可動ホーム柵の概略構成図である。図１５（ａ）は扉を閉じた状態（扉を出した状態）を示し、図１５（ｂ）は扉を開いた状態（扉を引っ込めた状態）を示している。
【０１１６】
図１５（ａ）及び（ｂ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にこの縦パイプ３ａの側面にほぼ水平に設けられた２本の横パイプ３ｂと、を備える。
【０１１７】
フレーム３の戸尻には、非常時に脱出口を開放する脱出口用フレーム２３が蝶番２４で固定されている。脱出口用フレーム２３も、フレーム３と同様に、中空形状の構造物（例えばパイプ）で構成され、縦パイプ３ａとほぼ平行に設けられた縦パイプ２３ａと、２本の縦パイプ２３ａ間にほぼ水平に設けられた３本の横パイプ２３ｂと、を備える。
【０１１８】
図１５では、フレーム３の上方の横パイプ３ｂと脱出口用フレーム２３の一番上の縦パイプ２３ａの軸が一致するように固定され、フレーム３の下方の横パイプ３ｂと脱出口用フレーム２３の上から二番目の横パイプ２３ｂの軸が一致するように固定されている。
【０１１９】
例えば、扉２の閉状態で乗客が可動ホーム柵１より軌道側に取り残される等の非常事態が発生した場合、乗客は脱出口用フレーム２３をプラットホーム側に押し動かすことによってこれを回動させ、脱出口を作って避難することができる。なお、図示はしていないが、通常時に脱出口用フレーム２３が使用されることが無いよう、脱出口用フレーム２３には非常ボタンと連動したロックがかけられている。
【０１２０】
その他の構成及び動作は、実施の形態７に係る可動ホーム柵１と同じであるため、説明を省略する。なお、ここでは横パイプ２３ｂが３本の場合を説明したが、フレーム３と同様に、横パイプの数はこれに限るものではない。また、脱出口用フレーム２３の横パイプ２３ｂとフレーム３の横パイプ２３ｂとは同軸上に設けず、扉２の開状態において、扉２の戸尻側をフレーム３に内包せず露出させても良い。また、この実施の形態１３は、実施の形態１〜１２と適宜自由に組合せることもできる。
【０１２１】
また、ここでは脱出口用フレーム２３が蝶番２４でフレーム３に固定される場合を説明したが、脱出口用フレーム２３を扉２の開閉方向にスライド移動させるようにしても良い。具体的には、脱出口用フレーム２３の横パイプ２３ｂとフレーム３の横パイプ３ｂの対応する横パイプ２ｂの軸を一致させる。脱出口用フレーム２３をスライドして開放した際、横パイプ２３ｂと横パイプ３ｂとは、入れ子状になる。
【０１２２】
このように、本実施の形態１３に係る可動ホーム柵１は、実施の形態６と同様に扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１２３】
また、この実施の形態１３では、フレーム３の戸尻側に非常時に用いる脱出口用フレーム２３を設けたため、扉２が閉鎖した後に乗客が軌道側に取り残された場合であっても、乗客を安全に避難させることができる。
また、この実施の形態１３では、脱出口用フレーム２３を扉２の開閉方向にスライド移動できるようにしたため、プラットホーム側に他の乗客が居ても、安全に脱出口用フレーム２３を開放することができる。
【０１２４】
実施の形態１４．
この発明を実施するための実施の形態１４に係る可動ホーム柵を、図１６を用いて説明する。
【０１２５】
これは、実施の形態１の変形例で、フレーム３にパネル２０ａを設けた点が異なる。
【０１２６】
図１６は、この実施の形態に係る可動ホーム柵の概略構成図である。図１６（ａ）は扉を閉じた状態（扉を出した状態）を示し、図１４（ｂ）は扉を開いた状態（扉を引っ込めた状態）を示している。なお、図１６ではモーター６やプーリー８等の駆動部材の図示を省略している。
【０１２７】
図１６（ａ）及び（ｂ）に示すように、扉２は例えばパイプや棒で構成され、上下２本の横パイプ２ｂの戸先側が縦パイプ２ａで輪形状につながれている。フレーム３は中空形状の構造物（例えばパイプ）で構成され、プラットホームに直立するよう設置される縦パイプ３ａと、２本の縦パイプ３ａ間にこの縦パイプ３ａの側面にほぼ水平に設けられた２本の横パイプ３ｂと、を備える。そして、横パイプ３ｂのプラットホーム側の側面には、パネル２０ａが固定されている。なお、パネル２０ａは板状の部材であれば良く、例えば、ガラスや金属やプラスチックで形成される。
【０１２８】
その他の構成及び動作は、実施の形態１に係る可動ホーム柵１と同じであるため、説明を省略する。なお、この実施の形態１４は、実施の形態１〜１３と適宜自由に組合せることもできる。
【０１２９】
このように、本実施の形態１４に係る可動ホーム柵１は、フレーム３の側面にパネル２０ａを設ける点以外は実施の形態１と同じ構成である。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１３０】
また、この実施の形態１４では、フレーム３のプラットホーム側の側面にパネル２０ａを設けることにより、プラットホームにいる乗客が軌道側に手や顔を出すのを抑制し、安全性を高めることができる。
【０１３１】
実施の形態１５．
この発明を実施するための実施の形態１５に係る可動ホーム柵を、図１７及び図１８を用いて説明する。
【０１３２】
これは、実施の形態１の変形例で、フレーム３の縦パイプ３ａをプラットホームに設けた取付け穴に埋設する点が異なる。
【０１３３】
図１７は、この実施の形態に係る可動ホーム柵の概略構成図である。この図１７ではモーター６やプーリー８等の駆動部材の図示を省略している。
実施の形態１〜１４では説明を省略したが、フレーム３の縦パイプ３ａは、プラットホームの床面に設けられた取付け穴２５の上に据付プレートを埋設し、その据付プレートにボルトなどで固定していた。この実施の形態１５では、図１７に示すように、フレーム３の縦パイプ３ａはプラットホームの床面に設けられた取付け穴２５に直接埋設される。
【０１３４】
また、図１８に示すように、モーター６の電源や制御用ケーブルなどの配線を、フレーム３の縦パイプ３ａ及び横パイプ３ｂを構成するパイプに内包し、プラットホームの床下に設置した制御盤に接続することもできる。例えば、複数の可動ホーム柵１を連動して制御したい場合、床下配線ができるため、配線の複雑化を抑制できる。
【０１３５】
その他の構成及び動作は、実施の形態１に係る可動ホーム柵１と同じであるため、説明を省略する。なお、この実施の形態１５は、実施の形態１〜１４と適宜自由に組合せることもできる。
また、埋設した縦パイプ３ａの揺れを防止するために縦パイプ３ａにボルトを配置し取り付け穴に対して固定してもよい。
【０１３６】
このように、本実施の形態１５に係る可動ホーム柵１は、フレーム３の縦パイプ３ａをプラットホームの取付け穴２５に直接埋設される点以外は実施の形態１と同じ構成である。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１３７】
また、この実施の形態１５では、フレーム３の縦パイプ３ａがプラットホームの取付け穴２５に直接埋設されるため、据付プレートが不要となり、さらに安価に可動ホーム柵を設置することができる。さらに、フレーム３ａに床面と平行な荷重がかかる場合であっても、縦パイプ３ａのプラットホームに埋設した部分の側面で荷重を負担するため、床面と平行な荷重への耐性が大きな可動ホーム柵１を得ることができる。
また、この実施の形態１５では、制御用の配線をフレーム３のパイプに内包し、プラットホームの床下に設置された制御盤と接続するため、配線の複雑化を抑制できる。
【０１３８】
実施の形態１６．
この発明を実施するための実施の形態１６に係る可動ホーム柵を、図１９〜図２２を用いて説明する。
この実施の形態では、実施の形態１に記載の可動ホーム柵１の縦パイプ３ａに横パイプ３ｂをどのように取り付けるかを説明する。
【０１３９】
図１９は、この実施の形態に係る可動ホーム柵の概略構成図である。図１９（ａ）は扉を開いた状態（扉を引っ込めた状態）を示している。また、図１９（ｂ）は図１９（ａ）のＡＡ断面を、図１９（ｃ）は図１９（ａ）のＢＢ断面を、それぞれ示している。
【０１４０】
フレーム３の戸先側の縦パイプ３ａと横パイプ３ｂは、例えば溶接などで固定されている。一方、フレーム３の戸尻側の縦パイプ３ａと横パイプ３ｂは、取付け金具２６で固定されている。また、２本の横パイプ３ｂの間には、扉２の開放時に巻き取られたプッシュプルチェーン１６が収納されるパネルが設けられている。
【０１４１】
取付け金具２６は、横パイプ３ｂの外壁をリングで挟む形状をしており、扉２の開閉方向にスライド移動できる。図２０は、図１９（ａ）の可動ホーム柵１をプラットホームに取り付ける様子を上空から見た俯瞰図である。図２０（ａ）はプラットホームの取付け穴２５に取り付ける前の状態を、図２０（ｂ）は取付け穴２５の上空に可動ホーム柵１を移動させて位置合わせをしている状態を、図２０（ｃ）は取付け金具２６をスライドさせて取付け穴２５に縦パイプ３ａの位置をあわせた状態を、それぞれ示している。
【０１４２】
図２１も、図１９（ａ）の可動ホーム柵１をプラットホームに取り付ける様子を上空から見た俯瞰図である。図２１（ａ）はプラットホームの取付け穴２５又は据付プレートの並びが可動ホーム柵１を取り付けたい位置とずれている状態を、図２１（ｂ）は取付け金具２６をスライドさせて位置あわせを行った後の状態を、それぞれ示している。取付け金具２６は、縦パイプ３ａと横パイプ３ｂの間の距離も微調整できる。図２１（ａ）では２枚の扉２の戸先がずれているが、図２１（ｂ）では合っていることが分かる。
【０１４３】
図２２は、図２１の右端の縦パイプ３ａ周辺を拡大した図である。図２２（ａ）は取付け金具２６による調整前の状態を、図２２（ｂ）は取付け金具２６による調整後の状態を、それぞれ示している。取付け金具２６を横パイプ３ｂと垂直な方向に移動させることにより、縦パイプ３ａと横パイプ３ｂとの距離を変更することができる。
なお、ここでは戸先側の横パイプ３ｂを溶接で固定する場合を説明したが、戸尻側と同様に取付け金具２６で固定しても良い。
また、取り付け金具２６はリング状でなくとも、縦パイプ３ａに対して扉の進行方向に横パイプ３ｂの位置を移動できる構造であればよく、長穴を設けた金具を使用してもよい。
【０１４４】
その他の構成及び動作は、実施の形態１または実施の形態９に係る可動ホーム柵１と同じであるため、説明を省略する。なお、この実施の形態１６は、実施の形態２〜１５と適宜自由に組合せることもできる。
【０１４５】
このように、本実施の形態１６に係る可動ホーム柵１は、実施の形態１と同様に、扉２の開放時には扉２の戸尻側がフレーム３の横パイプ３ｂに入れ子状に収納されるため、戸袋を床面に据え置きする従来のタイプの可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１４６】
また、この実施の形態１６では、横パイプ３ｂを取付け金具２６で縦パイプ３ａに取り付けている。この取付け金具２６は、扉２の開閉方向及びこれに垂直な方向へ可動なため、据付プレートや取付け穴２５の距離が、可動ホーム柵１の縦パイプ３ａの位置とずれている場合であっても、調整を簡単に行うことができる。
同様に、互いに向き合う扉２の戸先が合わない場合であっても、フレーム３を動かすことなく戸先合わせが容易にできる。
【０１４７】
実施の形態１７．
この発明を実施するための実施の形態１７に係る可動ホーム柵を、図２３〜図２５を用いて説明する。
この実施の形態では、実施の形態１６に記載の２台の可動ホーム柵１を組合せた状態を説明する。
【０１４８】
図２３は、この実施の形態に係る可動ホーム柵の概略構成図である。図２３（ａ）は右側にスライドして開く扉２を開いた状態（扉を引っ込めた状態）を、図２３（ｂ）は左側にスライドして開く扉２を開いた状態（扉を引っ込めた状態）を、それぞれ示している。 この可動ホーム柵１は、横パイプ３ｂの戸尻側に、実施の形態１６に記載の取付け金具２６が取り付けられている。
【０１４９】
図２４は、２台の可動ホーム柵１を設置する前の状態を示す俯瞰図である。図２４（ａ）は全体図、図２４（ｂ）は図２４（ａ）のＡＡ断面図、図２４（ｃ）は図２４（ａ）のＢＢ断面図、をそれぞれ示している。
【０１５０】
図２５は、図２４に示す２台の可動ホーム柵１を設置した後の状態を示す俯瞰図である。図２５（ａ）は全体図、図２５（ｂ）は図２５（ａ）のＡＡ断面図、図２５（ｃ）は図２５（ａ）のＢＢ断面図、をそれぞれ示している。
なお、図２４，図２５では、縦パイプ３ａと横パイプ３ｂの取付けに必要な部材以外の図示は省略している。
【０１５１】
図２３〜図２５に示すように、左右のフレーム３の戸尻側には縦パイプ３ａが設けられておらず、一方の可動ホーム柵１の縦パイプ３ａに、他方の可動ホーム柵１の横パイプ３ｂが取付け金具２６で固定されている。このような構造とすることにより、２台の可動ホーム柵１が互いに支え合うため、プラットホームに設置する縦パイプ３ａの数を削減することができる。
【０１５２】
その他の構成及び動作は、実施の形態１または実施の形態９に係る可動ホーム柵１と同じであるため、説明を省略する。なお、この実施の形態１７は、実施の形態１〜１６と適宜自由に組合せることもできる。
【０１５３】
このように、本実施の形態１７に係る可動ホーム柵１は、実施の形態１と同様に、扉２の開放時には扉２の戸尻側がフレーム３の横パイプ３ｂに入れ子状に収納されるため、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１５４】
また、この実施の形態１７では、横パイプ３ｂを取付け金具２６で縦パイプ３ａに取り付けている。この取付け金具２６は、扉２の開閉方向及びこれに垂直な方向へ可動なため、据付プレートや取付け穴２５の距離が、可動ホーム柵１の縦パイプ３ａの位置とずれている場合であっても、調整を簡単に行うことができる。
同様に、互いに向き合う扉２の戸先が合わない場合であっても、フレーム３を動かすことなく戸先合わせが容易にできる。
【０１５５】
また、この実施の形態１７では、扉２の開閉方向が互いに逆の２台の可動ホーム柵１を組合せる場合に、一方の可動ホーム柵１の戸尻側の縦パイプ３ａの代わりに、他方の可動ホーム柵１の戸先側の縦パイプ３ａを用いることにより、プラットホームに設置する縦パイプ３ａの本数を減らすことができ、コストを低減できる。
【０１５６】
実施の形態１８．
この発明を実施するための実施の形態１８に係る可動ホーム柵を、図２６及び図２７を用いて説明する。
この実施の形態では、可動ホーム柵１の扉２の２本の横パイプ２ｂが互いに平行でない場合の調整について説明する。
【０１５７】
図２６は、この実施の形態に係る可動ホーム柵の概略構成図である。この図では、右側にスライドして開く扉２を開いた状態（扉を引っ込めた状態）を示している。 扉２の上下の横パイプ２ｂが、製作時の誤差などで互いに平行になっていないため、扉２をスライド移動させると、扉２の下方の横パイプ２ｂがフレーム３の横パイプ３ｂに接触し、大きな応力が働いてなめらかなスライド移動を妨げる。
【０１５８】
図２７（ａ）は、扉２の上下の横パイプ２ｂの位置調整後の可動ホーム柵１の様子を示す図である。この扉２には、図２７（ｂ）に示すように、例えば実施の形態１２に示した可動ホーム柵１のように内側にパネル２０が装着され、戸尻側には、上下の横パイプ２ｂの開口距離を調整するための調整器具２７が設けられている。調整器具２７は、例えば、ネジを締めると上下の横パイプ２ｂの開口距離を広げることができ、ネジを緩めると上下の横パイプ２ｂの開口距離を狭めることができる。
【０１５９】
その他の構成及び動作は、実施の形態１に係る可動ホーム柵１と同じであるため、説明を省略する。なお、この実施の形態１８は、実施の形態１〜１７と適宜自由に組合せることもできる。
【０１６０】
このように、本実施の形態１８に係る可動ホーム柵１は、実施の形態１と同様に、扉２の開放時には扉２の戸尻側がフレーム３の横パイプ３ｂに入れ子状に収納されるため、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１６１】
また、この実施の形態１８では、扉２の戸尻側に上下の横パイプ２ｂの開口距離を調整するための調整器具を設けている。これにより、製作時の誤差などで扉２の上下の横パイプ２ｂが互いに平行でない場合であっても、扉２を開閉する際にフレーム３の横パイプ３ｂに扉２の横パイプ２ｂが引っかかることを容易に回避できる。
【０１６２】
実施の形態１９．
この発明を実施するための実施の形態１９に係る可動ホーム柵を、図２８及び図２９を用いて説明する。
この実施の形態では、可動ホーム柵１のフレーム３の２本の横パイプ３ｂが互いに平行でない場合の調整について説明する。
【０１６３】
図２８は、この実施の形態に係る可動ホーム柵の概略構成図である。この図では、右側にスライドして開く扉２を開いた状態（扉を引っ込めた状態）を示している。 フレーム３の上下の横パイプ３ｂが、製作時の誤差などで互いに平行になっていないため、扉２をスライド移動させると、扉２の下方の横パイプ２ｂがフレーム３の横パイプ３ｂに接触し、大きな応力が働いてなめらかなスライド移動を妨げる。
【０１６４】
図２９は、図２８に示した調整器具２７ａの拡大図である。調整器具２７ａは、フレーム３の上下２本の横パイプ３ｂの間に、これらの開口距離を調整するために設けられている。調整器具２７ａは、例えば、ネジを締めると上下の横パイプ３ｂの開口距離を広げることができ、ネジを緩めると上下の横パイプ３ｂの開口距離を狭めることができる。
【０１６５】
その他の構成及び動作は、実施の形態１に係る可動ホーム柵１と同じであるため、説明を省略する。なお、この実施の形態１９は、実施の形態１〜１８と適宜自由に組合せることもできる。
【０１６６】
このように、本実施の形態１９に係る可動ホーム柵１は、実施の形態１と同様に、扉２の開放時には扉２の戸尻側がフレーム３の横パイプ３ｂに入れ子状に収納されるため、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１６７】
また、この実施の形態１９では、フレーム３の上下の横パイプ３ｂの開口距離を調整するための調整器具を設けている。これにより、製作時の誤差などでフレーム３の上下の横パイプ３ｂが互いに平行でない場合であっても、扉２を開閉する際にフレーム３の横パイプ３ｂに扉２の横パイプ２ｂが引っかかることを容易に回避できる。
【０１６８】
実施の形態２０．
この発明を実施するための実施の形態２０に係る可動ホーム柵を、図３０を用いて説明する。
【０１６９】
実施の形態１２では、フレーム３の横パイプ３ｂに開口部を設け、横パイプ３ｂをパネル案内レール２２の代替とする場合を示したが、この実施の形態２０では、パネル２０ｂの下部をフレーム３に固定されたパネル保持具で保持する点が異なる。
【０１７０】
図３０は、この実施の形態に係る可動ホーム柵の概略構成図である。図３０（ａ）は扉を閉じた状態（扉を出した状態）を示し、図３０（ｂ）は扉を開いた状態（扉を引っ込めた状態）を示している。また、図３０（ｃ）は図３０（ｂ）のＡＡ断面を示している。なお、図３０ではモーター６やプーリー８等の駆動部材の図示を省略している。
【０１７１】
図３０（ａ）〜（ｃ）に示すように、扉２はパイプでや棒構成され、上下２本の横パイプ２ｂの戸先側が縦パイプ２ａで輪形状につながれている。フレーム３も中空形状のパイプで構成され、プラットホームに直立するよう設置される縦パイプ３ａと、２本の縦パイプ３ａ間にこの縦パイプ３ａの側面にほぼ水平に設けられた２本の横パイプ３ｂと、を備える。
【０１７２】
フレーム３の上方の横パイプ３ｂの下面には、パネル２０ｂをガイドできるように、扉２の開閉方向に沿って開口（スリット）が設けられている。パネル２０ｂはパネル支持体２１を介して扉２に固定され、扉２の開閉に伴って横パイプ３ｂの開口及びフレーム３に固定されたパネル保持具２８にガイドされてスライド移動する。
【０１７３】
パネル保持具２８は、例えば金具で構成され、フレーム３の横パイプ３ｂに固定される第１の保持金具２８ａと、パネルに取付けられる第２の保持金具２８ｂと、第１及び第２の保持金具の間に設けられる摩擦抵抗が比較的小さな摺動シュー２８ｃと、で構成される。
【０１７４】
なお、実施の形態１１と同様に、横パイプ３ｂに開口を設ける代わりに、パネル案内レール２２を設けても良い。また、フレーム３の戸先側に、パネル２０のスライド移動を円滑にするローラー１０ｂを設けても良い。また、パネル２０は板状の部材であれば良く、例えば、ガラスや金属やプラスチックで形成できる。
【０１７５】
その他の構成及び動作は、実施の形態１に係る可動ホーム柵１と同じであるため、説明を省略する。なお、この実施の形態２０は、実施の形態１〜１９と適宜自由に組合せることもできる。
【０１７６】
このように、本実施の形態２０に係る可動ホーム柵１は、扉２に固定したパネル２０ｂを、フレーム３の横パイプ３ｂの開口部とパネル保持具２８とにガイドさせ、扉２を開閉するようにした。これにより、扉２の開放時には扉２の戸尻側がフレーム３の横パイプ３ｂに入れ子状に収納されるため、実施の形態１と同様に、戸袋を床面に据え置きするタイプの従来の可動ホーム柵よりも軽量化することができ、重量化に伴う設置工事のコストも低減できる。また、フレーム３を縦パイプ３ａ及び横パイプ３ｂで構成するため、軌道側とプラットホーム側の間の視認性を高めることもできる。
【０１７７】
また、この実施の形態２０では、フレーム３の横パイプ３ｂとパネル保持具２８とでパネル２０ｂを保持するため、パネル２０ｂの下方の横パイプ３ｂには開口部を設ける必要がなく、横パイプ３ｂへの雨水や塵芥の侵入を回避することができる。
【符号の説明】
【０１７８】
１  可動ホーム柵
２  扉
２ａ  縦パイプ
２ｂ  横パイプ
２ｃ  接合部
３  フレーム
３ａ  縦パイプ
３ｂ  横パイプ
４  リニアガイドレール
５  リニアガイドベアリング
６  モーター
７  タイミングベルト
８  プーリー
９  振れ止め具
１０、１０ａ、１０ｂ  ローラー
１１  ブッシュ
１２  パイプ摺動部
１３  アイドラー
１４  ボールねじ
１５  ナットブラケット
１６  プッシュプルチェーン
１７  スプロケット
１８  ピニオンギア
１９  ラック
２０、２０ａ、２０ｂ  パネル
２１  パネル支持体
２２  パネル案内レール
２３  脱出口用フレーム
２３ａ  縦パイプ
２３ｂ  横パイプ
２４  蝶番
２５  取付け穴
２６  取付け金具
２７、２７ａ  調整器具
２８  パネル保持具
【図１】
2018090250.tif 000003
【図２】
2018090250.tif 000004
【図３】
2018090250.tif 000005
【図４】
2018090250.tif 000006
【図５】
2018090250.tif 000007
【図６】
2018090250.tif 000008
【図７】
2018090250.tif 000009
【図８】
2018090250.tif 000010
【図９】
2018090250.tif 000011
【図１０】
2018090250.tif 000012
【図１１】
2018090250.tif 000013
【図１２】
2018090250.tif 000014
【図１３】
2018090250.tif 000015
【図１４】
2018090250.tif 000016
【図１５】
2018090250.tif 000017
【図１６】
2018090250.tif 000018
【図１７】
2018090250.tif 000019
【図１８】
2018090250.tif 000020
【図１９】
2018090250.tif 000021
【図２０】
2018090250.tif 000022
【図２１】
2018090250.tif 000023
【図２２】
2018090250.tif 000024
【図２３】
2018090250.tif 000025
【図２４】
2018090250.tif 000026
【図２５】
2018090250.tif 000027
【図２６】
2018090250.tif 000028
【図２７】
2018090250.tif 000029
【図２８】
2018090250.tif 000030
【図２９】
2018090250.tif 000031
【図３０】
2018090250.tif 000032